(57)【要約】【課題】タッチパネルを有する表示部を用い簡単に情報処理装置の選択を可能とすること。【解決手段】タッチパネル２４を備える表示部２０と、前記タッチパネルに入力された入力信号に基づき、複数の情報処理装置の一つを選択する選択信号を生成し、前記選択信号を、選択された前記情報処理装置から受信した画像信号を前記表示部に送信し前記タッチパネルの座標に対応した座標信号を前記選択された情報処理装置に送信する選択装置に、送信する制御部３０と、を具備する入力装置。【選択図】図２
2012185749.tif 000002
【特許請求の範囲】
【請求項１】
タッチパネルを備える表示部と、
前記タッチパネルに入力された入力信号に基づき、複数の情報処理装置の一つを選択する選択信号を生成し、前記選択信号を、選択された前記情報処理装置から受信した画像信号を前記表示部に送信し前記タッチパネルの座標に対応した座標信号を前記選択された情報処理装置に送信する選択装置に、送信する制御部と、を具備することを特徴とする入力装置。
【請求項２】
前記制御部は、前記表示部に第１領域と第２領域とを表示させ、前記第１領域に入力した入力信号に基づき前記座標信号を生成し、前記第２領域に入力した入力信号に基づき、前記選択信号を生成することを特徴とする請求項１記載の入力装置。
【請求項３】
前記制御部は、前記第２領域に前記複数の情報処理装置に対応した複数の領域を表示し、前記複数の領域のうち前記入力信号が入力した領域に対応する情報処理装置を選択する前記選択信号を生成することを特徴とする請求項１または２記載の入力装置。
【請求項４】
前記座標信号および前記選択信号の少なくとも一方を無効とするスイッチを具備することを特徴とする請求項２記載の入力装置。
【請求項５】
前記制御部は、前記表示部を連続してタッチした回数に基づき前記選択信号を生成することを特徴とする請求項１記載の入力装置。
【請求項６】
前記制御部は、前記連続してタッチした回数が特定回数の場合、前記連続してタッチした領域の座標に基づき、前記選択信号を生成することを特徴とする請求項５記載の入力装置。
【請求項７】
前記選択装置に、キーボードまたはマウスのいずれも接続されていないことを特徴とする請求項１から６のいずれか一項記載の入力装置。
【請求項８】
請求項１から６のいずれか一項記載の入力装置と、
前記選択装置と、
を具備するシステム。
【発明の詳細な説明】
【技術分野】
【０００１】
本発明は、入力装置およびシステムに関し、例えば、タッチパネルを備える表示部を有する入力装置およびシステムに関する。
【背景技術】
【０００２】
複数のユーザがコンソール（例えば、キーボード、マウスおよびモニタ）を使用し、複数の情報処理装置（例えば、パソコンまたはサーバ）を切り換えて遠隔操作可能とするＫＶＭスイッチが知られている。さらに、特許文献１および２のように、タッチパネルを有するモニタを用いる場合もある。
【先行技術文献】
【特許文献】
【０００３】
【特許文献１】特開２００８−４６７６２号公報
【特許文献２】特開２００９−２１１５６７号公報
【発明の概要】
【発明が解決しようとする課題】
【０００４】
ユーザが情報処理装置を切り換える際は、キーボードまたはマウスからホットキーを入力して、ＯＳＤ（On-Screen Display）を表示し、一覧表から操作したい情報処理装置を選択する。キーボードおよびマウスのプロトコルは汎用性が高いため、型式の異なるキーボードまたはマウスを用いても、ホットキーを用い情報処理装置の選択を行なうことが容易である。しかしながら、タッチパネルのプロトコルは汎用性が低い。このため、キーボードおよびマウスのように簡単に情報処理装置の選択を行なうことが難しいという課題がある。
【０００５】
本発明は、上記課題に鑑みなされたものであり、タッチパネルを有する表示部を用い簡単に情報処理装置の選択を可能とすることを目的とする。
【課題を解決するための手段】
【０００６】
本発明は、タッチパネルを備える表示部と、前記タッチパネルに入力された入力信号に基づき、複数の情報処理装置のうち一つを選択する選択信号を生成し、前記選択信号を、選択された前記情報処理装置から受信した画像信号を前記表示部に送信し前記タッチパネルの座標に対応した座標信号を前記選択された情報処理装置に送信する選択装置に、送信する制御部と、を具備することを特徴とする入力装置である。
【０００７】
上記構成において、前記制御部は、前記表示部に第１領域と第２領域とを表示させ、前記第１領域に入力した入力信号に基づき前記座標信号を生成し、前記第２領域に入力した入力信号に基づき、前記選択信号を生成する構成とすることができる。
【０００８】
上記構成において、前記制御部は、前記第２領域に前記複数の情報処理装置に対応した複数の領域を表示し、前記複数の領域のうち前記入力信号が入力した領域に対応する情報処理装置を選択する前記選択信号を生成する構成とすることができる。
【０００９】
上記構成において、前記座標信号および前記選択信号の少なくとも一方を無効とするスイッチを具備することを特徴とする請求項２記載の入力装置。
【００１０】
上記構成において、前記制御部は、前記表示部を連続してタッチした回数に基づき前記選択信号を生成する構成とすることができる。
【００１１】
上記構成において、前記制御部は、前記連続してタッチした回数が特定回数の場合、前記連続してタッチした領域の座標に基づき、前記選択信号を生成する構成とすることができる。
【００１２】
上記構成において、前記選択装置に、キーボードまたはマウスのいずれも接続されていない構成とすることができる。
【００１３】
本発明は、上記入力装置と、前記選択装置と、を具備するシステムである。
【発明の効果】
【００１４】
本発明によれば、タッチパネルを有する表示部を用い簡単に情報処理装置の選択を可能とすることを目的とする。
【図面の簡単な説明】
【００１５】
【図１】図１は、実施例１が用いられるシステムを示すブロック図である。
【図２】図２（ａ）は、実施例１に係る入力装置を示すブロック図である。図２（ｂ）は、表示部の画面の解体斜視図である。図２（ｃ）は、制御部のブロック図である。
【図３】図３は、表示部の画面の例を示す図である。
【図４】図４は、タッチ検出部の処理を示すフローチャートである。
【図５】図５は、データ解析部の処理を示すフローチャートである。
【図６】図６は、メイン制御部の処理を示すフローチャートである。
【図７】図７は、データ解析部の処理を示すフローチャートである。
【図８】図８は、図７のステップＳ６２におけるデータ解析部の処理を示すフローチャートである。
【図９】図９は、図７のステップＳ６４におけるデータ解析部の処理を示すフローチャートである。
【図１０】図１０は、表示部の画面の模式図である。
【発明を実施するための形態】
【００１６】
以下、図面を参照し実施例について説明する。
【実施例１】
【００１７】
図１は、実施例１が用いられるシステムを示すブロック図である。ＫＶＭシステム１００は、メインユニット１０、情報処理装置１２、サーバユニット１４、コンソールユニット１６およびコンソール１８を備えている。情報処理装置１２は複数設けられ、それぞれサーバユニット１４を介しメインユニット１０に接続されている。情報処理装置１２は、例えばサーバまたはパーソナルコンピュータである。サーバユニット１４は、キーボード、マウス、モニタまたはタッチパネル等のコンソール１８のエミュレーションを行なう。コンソール１８は、１または複数設けられている。それぞれのコンソール１８は、キーボード、マウス、モニタまたはタッチパネルを備えている。少なくとも１つのコンソール１８は、タッチパネルを含むモニタを備えている。コンソール１８は、それぞれコンソールユニット１６を介しメインユニット１０に接続されている。コンソールユニット１６は情報処理装置１２のエミュレーションを行なう。
【００１８】
メインユニット１０は、情報処理装置１２とコンソール１８との切り換えを制御する。例えば、メインユニット１０は、複数の情報処理装置１２から１つを選択し、選択された情報処理装置１２から受信した画像信号をコンソール１８内のモニタに送信する。一方、コンソール１８内のタッチパネルの座標に対応した座標信号を選択された情報処理装置１２に送信する。実施例１においては、コンソール１８のうち少なくとも一つはタッチパネルを備えるモニタ（表示部）を有する入力装置である。
【００１９】
図２（ａ）は、実施例１に係る入力装置を示すブロック図である。入力装置１９は、表示部２０と制御部３０とを備えている。表示部２０は画面２１を有している。制御部３０は、タッチ検出部３２、データ解析部３４およびメイン制御部３６を含んでいる。メイン制御部３６にはスイッチＳＷ１およびＳＷ２が接続されている。また、メイン制御部３６は、コンソールユニット１６に座標信号をインターフェースＩ１を介し送信する。メイン制御部３６は、コンソールユニット１６に選択信号をインターフェースＩ２を介し送信する。コンソールユニット１６は、座標信号および選択信号をメインユニット１０に中継する。選択信号は、メインユニット１０が複数の情報処理装置１２から１つを選択するための信号である。
【００２０】
図２（ｂ）は、表示部の画面の解体斜視図である。画面２１は、表示パネル２２とタッチパネル２４とを備えている。表示パネル２２の正面側にタッチパネル２４が設けられている。表示パネル２２は、例えば液晶パネルまたは有機ＥＬ（Electroluminescence）パネルである。タッチパネル２４は、例えば、抵抗膜方式、表面弾性波方式、赤外線方式、電磁誘導方式、表面型静電容量方式または投影型静電容量方式等の方式を用いる。表示パネル２２には、選択された情報処理装置１２から受信された画像信号に基づき画像が表示される。タッチパネル２４は、指等の対象物がタッチされた箇所の座標に関するタッチ信号をタッチ検出部３２に出力する。例えば、抵抗膜方式では、タッチ箇所のＸ座標、Ｙ座標に対応した電圧がタッチ信号としてタッチ検出部３２に出力される。
【００２１】
図２（ｃ）は、制御部３０のブロック図である。制御部３０は、ＣＰＵ（Central Processing Unit）３７、メモリ３８、入出力部３９および内部バス３１を備えている。ＣＰＵ３７は、図２（ａ）のタッチ検出部３２、データ解析部３４およびメイン制御部３６として機能する。メモリ３８は、タッチ検出部３２、データ解析部３４およびメイン制御部３６が演算する際のパラメータ等を記憶する。入出力部３９は、タッチパネル２４からのタッチ信号を受信する。また、入出力部３９は、コンソールユニット１６を介しメインユニット１０に座標信号または選択信号を送信する。内部バス３１は、ＣＰＵ３７、メモリ３８および入出力部３９間を接続する。なお、表示パネル２２に出力する画像信号の制御については省略している。
【００２２】
図３は、表示部２０の画面２１の例を示す図である。制御部３０は表示部２０の画面２１に第１領域２６と第２領域２８とを表示させる。第１領域２６は、主に座標信号を生成するために指等がタッチする領域である。第２領域２８は、主に選択信号を生成するために指等がタッチする領域である。実施例１においては、第２領域２８は第１領域２６の下方に設けられているが、第１領域２６の上方、左、右および中央のいずれに設けられていてもよい。また、第２領域２８は８分割されている。分割されてなくてもよく、８分割以外に分割されていてもよい。実施例１においては、分割された第２領域２８はそれぞれ情報処理装置１２に対応する。すなわち、情報処理装置１２は、例えば８個メインユニット１０に接続されている。
【００２３】
図４は、タッチ検出部の処理を示すフローチャートである。図４のように、タッチ検出部３２は、タッチ検出を開始する（ステップＳ１０）。タッチ検出部３２は、タッチを検出したかを判断する（ステップＳ１０）。例えば、タッチ信号の電圧に変化があると、タッチ検出部３２は、タッチパネル２４がタッチを検出したと判断する。Ｎｏの場合、ステップＳ１２に戻る。Ｙｅｓの場合、タッチ検出部３２は、タッチ信号から指等がタッチされたタッチパネル２４内の座標を示す入力信号を生成する（ステップＳ１４）。タッチ検出部３２は、入力信号をデータ解析部３４に送信する（ステップＳ１６）。タッチ検出部３２は、終了するかを判断する（ステップＳ１８）。例えば、タッチパネル２４のオフ信号を受信した場合、Ｙｅｓと判断する。Ｙｅｓの場合、終了する。Ｎｏの場合、ステップＳ１２に戻る。
【００２４】
図５は、データ解析部の処理を示すフローチャートである。データ解析部３４は、入力信号を受信したか判断する（ステップＳ２０）。Ｎｏの場合、ステップＳ２０に戻る。Ｙｅｓの場合、データ解析部３４は、タッチされた領域が第１領域２６か第２領域２８かを判断する。第１領域２６の場合、データ解析部３４は、第１領域２６に入力した入力信号を座標信号に変換する（ステップＳ２８）。座標信号は、タッチパネル２４のＸＹ座標に関する信号であり、データ解析部３４は、例えば入力信号を座標信号としてもよい。または、データ解析部３４は、例えば入力信号から、接続されている情報処理装置１２に対応した座標信号を生成してもよい。データ解析部３４は、座標信号をメイン制御部３６に送信する（ステップＳ３０）。ステップＳ２２において、第２領域の場合、データ解析部３４は、第２領域２８に入力した入力信号に基づき選択信号を生成する（ステップＳ２４）。例えば、図３のように第２領域２８が８個の領域に分割されている場合、それぞれの分割された領域を、８個の情報処理装置１２に対応つけておく。データ解析部３４は、タッチされた分割された領域に対応する情報処理装置１２を選択する選択信号を生成する。例えば、８個の分割された領域に１〜８の番号を付し、番号５を付した領域に指等がタッチされた場合、５番目の情報処理装置１２を選択する選択信号を生成する。なお、実施例１では、第２領域２８を８個に分割する例を説明したが、第２領域２８は複数に分割されていればよい。データ解析部３４は、選択信号をメイン制御部３６に送信する（ステップＳ２６）。ステップＳ３２において、データ解析部３４は、終了するかを判断する（ステップＳ３２）。例えばタッチパネル２４のオフ信号を受信した場合、Ｙｅｓと判断する。Ｙｅｓの場合、終了する。Ｎｏの場合、ステップＳ２０に戻る。
【００２５】
図６は、メイン制御部の処理を示すフローチャートである。図６のように、メイン制御部３６は、座標信号を受信したか判断する（ステップＳ４０）。Ｎｏの場合、ステップＳ４８に進む。Ｙｅｓの場合、メイン制御部３６は、スイッチＳＷ１がオンかオフかを判断する（ステップＳ４２）。オンの場合、メイン制御部３６は、座標信号をインターフェースＩ１を介しコンソールユニット１６に送信する（ステップＳ４４）。オフの場合、メイン制御部３６は、座標信号を破壊する（ステップＳ４６）。ステップＳ４８において、メイン制御部３６は、選択信号を受信したか判断する。オンの場合、メイン制御部３６は、選択信号をインターフェースＩ２を介しコンソールユニット１６に送信する（ステップＳ５２）。オフの場合、メイン制御部３６は、選択信号を破壊する（ステップＳ５４）。ステップＳ５６において、メイン制御部３６は、終了するかを判断する（ステップＳ５６）。例えばタッチパネル２４のオフ信号を受信した場合、Ｙｅｓと判断する。Ｙｅｓの場合、終了する。Ｎｏの場合、ステップＳ４０に戻る。
【００２６】
スイッチＳＷ１およびＳＷ２は、スイッチの種類を問わず用いることができる。例えば、スイッチＳＷ１およびＳＷ２として、タクトスイッチ、トグルスイッチ、ディップスイッチまたはフォトカプラを用いることができる。また、インターフェースＩ１およびＩ２は、通信方式を問わず用いることができる。例えば、インターフェースＩ１およびＩ２として、ＰＳ／２、ＵＳＢ（Universal Serial Bus）、Ｉ２Ｃ、クロック非同期シリアル通信（例えばＲＳ−２３２Ｃ）、クロック同期シリアル通信（例えばＣＳＩ）またはパラレル通信を用いることができる。スイッチＳＷ１およびＳＷ２は、設けられていなくてもよい。すなわち、メイン制御部３６は、座標信号を受信すると、座標信号をインターフェースＩ１を介しコンソールユニット１６に送信してもよい。また、メイン制御部３６は、選択信号を受信すると、選択信号をインターフェースＩ２を介しコンソールユニット１６に送信してもよい。コンソールユニット１６は、座標信号および選択信号をメインユニット１０に中継する。
【００２７】
以上により、スイッチＳＷ１およびＳＷがオンの場合、タッチパネル２４は座標信号を入力し、かつ情報処理装置１２を選択するための入力装置として用いられる。スイッチＳＷ１がオンかつスイッチＳＷ２がオフの場合、タッチパネル２４は座標信号を入力する入力装置として用いられ、情報処理装置１２を選択するための入力装置としては用いられない。この場合、第１領域２６に加え第２領域２８も座標信号を入力するための領域として用いることができる。制御部３０はタッチパネル２４の座標信号のみをコンソールユニット１６に送信する。スイッチＳＷ１がオフかつスイッチＳＷ２がオンの場合、タッチパネル２４は情報処理装置１２を選択するための入力装置として用いられ、座標信号を入力する入力装置としては用いられない。スイッチＳＷ１およびＳＷがオフの場合、タッチパネル２４は機能せず、モニタとして使用される。
【００２８】
実施例１によれば、図５のステップＳ２４のように、制御部３０は、タッチパネル２４に入力された入力信号に基づき、複数の情報処理装置１２の一つを選択する選択信号を生成する。図６のステップＳ５２のように、制御部３０は、選択信号を、コンソールユニット１６を介して選択装置であるメインユニット１０に送信する。これにより、タッチパネル２４を用い、複数の情報処理装置１２のうち一つを簡単に選択することができる。
【００２９】
また、実施例１によれば、図５のステップＳ２４およびＳ２８のように、制御部３０は、第１領域２６に入力した入力信号に基づき座標信号を生成する。制御部３０は、第２領域２８に入力した入力信号に基づき、選択信号を生成する。このように、表示部２０に表示された領域により、座標信号または選択信号を生成するため、表示部２０の画面を切り換えることなく、簡単に複数の情報処理装置１２のうち一つを簡単に選択することができる。
【００３０】
さらに、図３のように、制御部３０は、第２領域２８に複数の情報処理装置に対応した複数の領域を表示する。図５のステップＳ２４のように、制御部３０は、複数の領域のうち入力信号が入力した領域に対応する情報処理装置１２を選択する選択信号を生成する。これにより、１回の画面のタッチにより、情報処理装置を選択することができる。
【００３１】
さらに、図６のように、座標信号および選択信号の少なくとも一方を無効とするスイッチＳＷ１およびＳＷ２を設けることができる。表示部２０の機能として、座標信号を入力する入力装置、情報処理装置１２を選択するための入力装置および単なるモニタのいずれかを選択することができる。
【実施例２】
【００３２】
実施例２は、タッチ回数により、情報処理装置を選択する例である。実施例２が用いられるシステムのブロック図は図１と同じである。実施例２に係る入力装置の構成は図２（ａ）から図２（ｃ）と同じであり説明を省略する。
【００３３】
図７は、データ解析部の処理を示すフローチャートである。図７のように、データ解析部３４は入力信号を受信したか判断する（ステップＳ６０）。Ｎｏの場合、ステップＳ６０に戻る。Ｙｅｓの場合、データ解析部３４は、指等の対象物がタッチパネルをタッチしたタッチ回数をカウントする（ステップＳ６２）。データ解析部３４は、タッチ回数に基づき、選択信号を生成する（ステップＳ６４）。データ解析部３４は、選択信号が生成されたか判断する（ステップＳ６６）。Ｎｏの場合、図５のステップＳ２８と同様に、データ解析部３４は、入力信号を座標信号に変換する（ステップＳ６８）。図５のステップＳ３０と同様に、データ解析部３４は、座標信号をメイン制御部３６に送信する（ステップＳ７０）。ステップＳ６６において、Ｙｅｓの場合、図５のステップＳ２６と同様に、データ解析部３４は、選択信号をメイン制御部３６に送信する（ステップＳ７２）。その後終了し、ステップＳ６０に戻る。
【００３４】
図８は、図７のステップＳ６２におけるデータ解析部の処理を示すフローチャートである。データ解析部３４に入力信号が入力する（ステップＳ８０）。データ解析部３４は、タイマが起動中か判断する（ステップＳ８２）。Ｎｏの場合、データ解析部３４は、指等がタッチパネル２４にタッチしたタッチ座標を記憶する（ステップＳ８４）。データ解析部３４は、カウンタをリセットする（ステップＳ８６）。データ解析部３４は、タイマを起動する（ステップＳ８８）。その後終了する。
【００３５】
次に入力信号が入力した際、ステップＳ８２においてＹｅｓの場合、データ解析部３４は、タッチ座標が、前回と同じか判断する（ステップＳ９０）。例えば、ステップＳ８４において記憶したタッチ座標と、今回のタッチ座標が同じか判断する。Ｙｅｓの場合、データ解析部３４は、タイマを再起動する（ステップＳ９２）。データ解析部３４は、タッチ回数をインクリメントする（ステップＳ９４）。ステップＳ９０からＳ９４により、タイマ起動中（前回タッチされてから一定期間内）に同じ座標がタッチされるとタッチ回数が増加する。これにより、同じ座標をタッチした回数がカウントされる。
【００３６】
ステップＳ９０においてＮｏの場合、データ解析部３４は、ステップＳ８４において記憶したタッチ座標を削除する（ステップＳ９６）。データ解析部３４は、タッチ回数のカウンタをリセットする（ステップＳ９８）。データ解析部３４はタイマを停止する（ステップＳ９９）。ステップＳ９６からＳ９９により、タイマ起動中（前回タッチされてから一定期間内）に異なる座標がタッチされると、タッチ回数のカウントはリセットされる。
【００３７】
図９は、図７のステップＳ６４におけるデータ解析部の処理を示すフローチャートである。図９のように、データ解析部３４は、タイマが完了しているかを判断する（ステップＳ１００）。すなわち、タイマ起動から一定期間経ているかを判断する。Ｎｏの場合、終了する。Ｙｅｓの場合、データ解析部３４は、タッチ回数を判断する（ステップＳ１０２）。タッチ回数が０、１または９以上の場合、ステップＳ１１４に進む。ステップＳ１０２において、タッチ回数が２〜４または６〜８の場合、データ解析部３４は、対応する情報処理装置１２を選択する（ステップＳ１０４）。例えば、タッチ回数が２回の場合、２番目の情報処理装置１２を選択する。ステップＳ１１２に進む。ステップＳ１０２において、タッチ回数が５の場合、データ解析部３４は、タッチ座標が原点か判断する（ステップＳ１０６）。Ｙｅｓの場合、１番目の情報処理装置１２を選択する（ステップＳ１０８）。ステップＳ１０６においてＮｏの場合、５番目の情報処理装置１２を選択する（ステップＳ１１０）。ステップＳ１１２に進む。
【００３８】
ステップＳ１１２において、データ解析部３４は、選択した情報処理装置１２に対応する選択信号を生成する（ステップＳ１１２）。データ解析部３４は、記憶したタッチ座標を削除する（ステップＳ１１４）。データ解析部３４は、タッチ回数のカウンタをリセットする（ステップＳ１１６）。データ解析部３４はタイマを停止する（ステップＳ１１８）。その後終了する。
【００３９】
ステップＳ１００のように、前回のタッチ後一定期間経ていなければ、データ解析部３４は選択信号の生成は行なわない。ステップＳ１０２において、タッチ回数が０、１、９以上の場合、タッチ回数は間違っているため、データ解析部３４は選択信号を生成せず、記憶しタッチ座標の削除、カウンタリセットおよびタイマ停止を行なう。タッチ回数が２〜４、６〜８の場合、データ解析部３４はタッチ回数をそのまま選択する情報処理装置１２の番号とする。このように、タッチ回数に応じ情報処理装置１２を選択できる。なお、タッチ回数と情報処理装置１２とは一致していなくとも対応していればよい。
【００４０】
図１０は、表示部の画面の模式図である。図９のステップＳ１０６において、図１０のように、タッチ座標が画面２１内の原点４０の場合、ステップＳ１０８のように、１番目の情報処理装置１２を選択する。また、タッチ座標が画面２１内の原点４０以外の点４４の場合、ステップＳ１１０のように、５番目の情報処理装置１２を選択する。１回のタッチだけでは、座標信号を入力しているか選択信号を入力しているか不明である。そこで、１番目の情報処理装置１２を選択する場合は、特定の座標を特定タッチすることにより、座標信号の入力との区別をすることができる。特定の座標は原点でなくとも、特定の領域でもよい。特定のタッチ回数は５回以外の回数でもよい。なお、図８、図９におけるタッチ座標が同じか否かの判断は、タッチ座標を含む一定の範囲（例えば原点４０について範囲４２、点４４について範囲４６）内であれば、タッチ座標が同じと判断してもよい。
【００４１】
実施例２によれば、図８および図９のように、制御部３０は、表示部２０を連続してタッチした回数に基づき選択信号を生成する。これにより、実施例１のように、画面２１を第１領域２６および第２領域２８に分けずとも選択信号を生成できる。
【００４２】
また、制御部３０は、連続してタッチした回数が特定回数の場合、連続してタッチした領域の座標に基づき、選択信号を生成する。例えば図９のステップＳ１０２、Ｓ１０６、Ｓ１０８、Ｓ１１０のように、連続してタッチした回数が特定回数５回の場合、連続してタッチした領域の座標（原点か否か）に基づき、選択信号を生成する。これにより、例えば、１番目の情報処理装置１２を選択することもできる。
【００４３】
実施例１および実施例２において、コンソールユニット１６に、キーボードまたはマウスのいずれも接続されていない場合、ホットキーにより簡単に情報処理装置を選択することができない。よって、タッチパネル２４を用い簡単に情報処理装置を選択することが好ましい。
【００４４】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００４５】
１０    メインユニット
１２    情報処理装置
１６    コンソールユニット
１８    コンソール
２０    表示部
２２    表示パネル
２４    タッチパネル
３０    制御部
【図１】
2012185749.tif 000003
【図２】
2012185749.tif 000004
【図３】
2012185749.tif 000005
【図４】
2012185749.tif 000006
【図５】
2012185749.tif 000007
【図６】
2012185749.tif 000008
【図７】
2012185749.tif 000009
【図８】
2012185749.tif 000010
【図９】
2012185749.tif 000011
【図１０】
2012185749.tif 000012